(57)【要約】【課題】メダルの回収率を向上させる。【解決手段】メダルが投入される投入部１１と、メダルを回収する回収部１３と、投入部１１と回収部１３との間の遊技媒体通過領域２０に設けられ、投入部１１から供給されたメダルを、遊技媒体通過領域２０の外部から視認可能に回収部１３まで誘導する誘導部１２とを備える。【選択図】図２
2014150821.tif 000002
【特許請求の範囲】
【請求項１】
遊技媒体が投入される投入部と、
前記遊技媒体を回収する回収部と、
前記投入部と前記回収部との間の遊技媒体通過領域に設けられ、前記投入部から供給された遊技媒体を、前記遊技媒体通過領域の外部から視認可能に前記回収部まで誘導する誘導部と、
を備えたことを特徴とする遊技媒体回収装置。
【請求項２】
前記投入部から前記誘導部へ供給された遊技媒体を検出する投入検出部と、
前記回収部に回収される遊技媒体を検出する回収検出部と、
前記投入検出部及び前記回収検出部のうち少なくともいずれか一方により前記遊技媒体が検出された場合に、検出されたことを報知する出力部と、
をさらに備えたことを特徴とする請求項１記載の遊技媒体回収装置。
【請求項３】
前記誘導部上に設けられ、前記誘導部により誘導される遊技媒体を検出する誘導検出部を、さらに備え、
前記出力部は、更に、
前記誘導検出部より前記遊技媒体が検出された場合に、検出されたことを報知する
ことを特徴とする請求項２記載の遊技媒体回収装置。
【請求項４】
前記遊技媒体通過領域を囲む前後左右のうち少なくとも１面に、光透過性部材にて形成された光透過性パネルが設けられており、
前記誘導部は、
前記投入部から供給された遊技媒体を、前記遊技媒体通過領域の外部から前記光透過性パネルを介して視認可能に前記回収部まで誘導する
ことを特徴とする請求項１〜３のいずれか１項記載の遊技媒体回収装置。
【請求項５】
前記投入部は、
前記投入された遊技媒体を、所定の間隔で１つづつ前記誘導部へ供給する
ことを特徴とする請求項１〜４のいずれか１項記載の遊技媒体回収装置。
【請求項６】
前記誘導部は、
前記遊技媒体通過領域内で湾曲しながら、前記遊技媒体を前記回収部まで誘導する
ことを特徴とする請求項１〜５のいずれか１項記載の遊技媒体回収装置。
【請求項７】
前記誘導部は、
突起物を備えた盤面を有し、前記投入部から供給された遊技媒体を前記盤面上で前記回収部まで誘導する
ことを特徴とする請求項１〜５のいずれか１項記載の遊技媒体回収装置。
【請求項８】
前記誘導部は、
ハンドルと、前記投入部の下方に設けられ、前記ハンドルの回転により前記投入部から供給されて上部に配置された遊技媒体を前記回収部まで誘導するベルトと、を有する
ことを特徴とする請求項１〜５のいずれか１項記載の遊技媒体回収装置。
【請求項９】
前記誘導部は、
前記投入部から供給された遊技媒体を内部に収納して搬送する収納ボックスと、
背面盤に設けられ、前記投入部から前記遊技媒体が供給される供給位置から前記遊技媒体を前記回収部へ排出する排出位置まで、前記収納ボックスを誘導するガイド穴と、
前記収納ボックスが排出位置に達したときに、前記収納ボックスを反転させることにより遊技媒体を前記回収部へ排出させる反転機構と、
を有することを特徴とする請求項１〜５のうちいずれか１項記載の遊技媒体回収装置。
【請求項１０】
前記誘導部は、
開口部が設けられ、前記投入部から前記開口部に供給された遊技媒体を内部に収納する収納ボックスと、
上下に設けられた一対のローラに巻きかけられ、前記開口部を上方又は下方へ向けた状態で前記収納ボックスを搬送する無端のベルトと、
前記投入検出部により検出された遊技媒体の数が所定枚数に達した場合に、前記収納ボックスを、前記開口部が上方へ向けられた状態で前記遊技媒体が前記投入部から供給される供給位置から、前記開口部が下方へ向けられた状態で前記遊技媒体が前記回収部により回収される回収位置まで搬送するように前記ベルトを制御する制御部と、
を有することを特徴とする請求項２記載の遊技媒体回収装置。
【発明の詳細な説明】
【技術分野】
【０００１】
本発明は、遊技者が、遊技機等でプレイし終わった際の手元に残った遊技媒体を回収する遊技媒体回収装置に関する。
【背景技術】
【０００２】
昨今、ゲームセンター等の遊技施設に設置される遊技機として、筐体内に多数のメダル（遊技媒体の１つ）が載置されたフィールドとフィールド上を往復動するプッシャーとが設けられ、フィールドの後方上部に抽選処理を行う抽選ボードが設けられたメダルプッシャーゲーム装置等がよく知られている。
【０００３】
遊技者は、メダルプッシャーゲーム装置でプレイし終わった際、メダルが手元に残る場合がある。このメダルは、遊技者にとって不要であるので、メダルを返却可能な装置が切望されていた。
【０００４】
特許文献１には、外部と遮蔽された箱形の本体の上部に、メダルを挿入するメダル預け口を備え、外部と遮蔽された箱形の本体内部に、メダルを計数するための計数ホッパと、メダルの真偽を判別するメダル判定手段を有する振分ホッパを有し、振分ホッパのメダル判定手段に基づいてメダルの真偽を判別し振分けられ、それらのメダルを振分けて収容するメダルボックスを備えたメダル預け機に関する技術が提案されている。
【先行技術文献】
【特許文献】
【０００５】
【特許文献１】特開２００６−６５４８７号公報
【発明の概要】
【発明が解決しようとする課題】
【０００６】
しかしながら、特許文献１に記載のメダル預け機では、メダル預け口にメダルが挿入されると、外部と遮蔽された箱形の本体内部で、メダルの真偽が判別され、振分けられるので、遊技者は、挿入されたメダルの動きを目視することができない。
【０００７】
そのため、遊技者は、メダルの返却に対して味気無く感じるので、メダルの回収率が低下していた。
【０００８】
本発明は、上記課題に鑑みてなされたものであり、遊技媒体の回収率を向上させる遊技媒体回収装置を提供することを目的とする。
【課題を解決するための手段】
【０００９】
上記目的を達成するため、本発明に係る遊技媒体回収装置の第１の特徴は、遊技媒体が投入される投入部と、前記遊技媒体を回収する回収部と、前記投入部と前記回収部との間の遊技媒体通過領域に設けられ、前記投入部から供給された遊技媒体を、前記遊技媒体通過領域の外部から視認可能に前記回収部まで誘導する誘導部と、を備えたことにある。
【００１０】
上記目的を達成するため、本発明に係る遊技媒体回収装置の第２の特徴は、前記投入部から前記誘導部へ供給された遊技媒体を検出する投入検出部と、前記回収部に回収される遊技媒体を検出する回収検出部と、前記投入検出部及び前記回収検出部のうち少なくともいずれか一方により前記遊技媒体が検出された場合に、検出されたことを報知する出力部と、をさらに備えたことにある。
【００１１】
上記目的を達成するため、本発明に係る遊技媒体回収装置の第３の特徴は、前記誘導部上に設けられ、前記誘導部により誘導される遊技媒体を検出する誘導検出部を、さらに備え、前記出力部は、更に、前記誘導検出部より前記遊技媒体が検出された場合に、検出されたことを報知することにある。
【００１２】
上記目的を達成するため、本発明に係る遊技媒体回収装置の第４の特徴は、前記遊技媒体通過領域を囲む前後左右のうち少なくとも１面に、光透過性部材にて形成された光透過性パネルが設けられており、前記誘導部は、前記投入部から供給された遊技媒体を、前記遊技媒体通過領域の外部から前記光透過性パネルを介して視認可能に前記回収部まで誘導することにある。
【００１３】
上記目的を達成するため、本発明に係る遊技媒体回収装置の第５の特徴は、前記投入部は、前記投入された遊技媒体を、所定の間隔で１つづつ前記誘導部へ供給することにある。
【００１４】
上記目的を達成するため、本発明に係る遊技媒体回収装置の第６の特徴は、前記誘導部は、前記遊技媒体通過領域内で湾曲しながら、前記遊技媒体を前記回収部まで誘導することにある。
【００１５】
上記目的を達成するため、本発明に係る遊技媒体回収装置の第７の特徴は、前記誘導部は、突起物を備えた盤面を有し、前記投入部から供給された遊技媒体を前記盤面上で前記回収部まで誘導することにある。
【００１６】
上記目的を達成するため、本発明に係る遊技媒体回収装置の第８の特徴は、前記誘導部は、ハンドルと、前記投入部の下方に設けられ、前記ハンドルの回転により前記投入部から供給されて上部に配置された遊技媒体を前記回収部まで誘導するベルトと、を有することにある。
【００１７】
上記目的を達成するため、本発明に係る遊技媒体回収装置の第９の特徴は、前記誘導部は、前記投入部から供給された遊技媒体を内部に収納して搬送する収納ボックスと、背面盤に設けられ、前記投入部から前記遊技媒体が供給される供給位置から前記遊技媒体を前記回収部へ排出する排出位置まで、前記収納ボックスを誘導するガイド穴と、前記収納ボックスが排出位置に達したときに、前記収納ボックスを反転させることにより遊技媒体を前記回収部へ排出させる反転機構と、を有することにある。
【００１８】
上記目的を達成するため、本発明に係る遊技媒体回収装置の第１０の特徴は、前記誘導部は、開口部が設けられ、前記投入部から前記開口部に供給された遊技媒体を内部に収納する収納ボックスと、上下に設けられた一対のローラに巻きかけられ、前記開口部を上方又は下方へ向けた状態で前記収納ボックスを搬送する無端のベルトと、前記投入検出部により検出された遊技媒体の数が所定枚数に達した場合に、前記収納ボックスを、前記開口部が上方へ向けられた状態で前記遊技媒体が前記投入部から供給される供給位置から、前記開口部が下方へ向けられた状態で前記遊技媒体が前記回収部により回収される回収位置まで搬送するように前記ベルトを制御する制御部と、を有することにある。
【発明の効果】
【００１９】
本発明に係る遊技媒体回収装置によれば、遊技媒体の回収率を向上させることができる。
【図面の簡単な説明】
【００２０】
【図１】本発明の実施例１であるメダル回収装置の斜視図である。
【図２】（ａ）は、本発明の実施例１であるメダル回収装置が備える誘導部の正面図であり、（ｂ）は、本発明の実施例１であるメダル回収装置が備える投入部を下方から見た図である。
【図３】本発明の実施例１に係るメダル回収装置の機能構成を示した機能構成図である。
【図４】（ａ）は、本発明の実施例２であるメダル回収装置の正面図であり、（ｂ）は、本発明の実施例２であるメダル回収装置の平面図である。
【図５】（ａ）は、本発明の実施例３であるメダル回収装置が備える誘導部の側面図であり、（ｂ）は、本発明の実施例３であるメダル回収装置が備える誘導部の正面図である。
【図６】本発明の実施例４であるメダル回収装置が備える誘導部の正面図である。
【図７】本発明の実施例５であるメダル回収装置が備える誘導部の正面図である。
【図８】本発明の実施例６であるメダル回収装置が備える誘導部の側面図である。
【図９】本発明の実施例６であるメダル回収装置における処理手順を示したフローチャートである。
【発明を実施するための形態】
【００２１】
以下、本発明を実施するための形態について図面を参照して説明する。
【実施例１】
【００２２】
本発明の実施例１では、前面に光透過性パネルを有する筐体を備え、遊技媒体としてメダルを回収するメダル回収装置を例に挙げて説明する。
【００２３】
図１は、本発明の実施例１であるメダル回収装置の斜視図である。
【００２４】
図１に示すように、メダル回収装置１は、筐体１０と、筐体１０の上部に設けられた投入部１１と、筐体１０の下部に設けられた回収部１３と、表示パネル１４とを備えている。
【００２５】
筐体１０は、前面（Ｙ１方向の面）に、例えばアクリルなどの光透過性部材により形成された光透過性パネル１０ａを有しており、側面（Ｘ１及びＸ２方向の面）及び背面（Ｙ２方向の面）に、非透過性部材により形成された筐体本体部１０ｂを有している。光透過性パネル１０ａは、キーロック可能なつまみ部１０ｆと、光透過性パネル１０ａを回動可能に支持するヒンジ部１０ｇとを備えている。運営者は、つまみ部１０ｆを掴みながら、鍵穴に鍵を差し込み、ロックを外した上で、つまみ部１０ｆを手前（Ｙ１方向）に引くことにより、光透過性パネル１０ａを開放することができる。
【００２６】
また、筐体１０の上部には、平板が斜めに複数配置されている投入部１１と、各種メッセージを表示させる表示パネル１４とを備えている。例えば、表示パネル１４は、遊技者によりメダルが投入されたときや、回収部１３にメダルが到達した、即ちメダルが回収されたとき等に、例えば、「ありがとうございます」などのメッセージを表示させる。
【００２７】
筐体１０の内部であり、投入部１１と回収部１３との間である遊技媒体通過領域２０には、遊技者へ演出しながら投入部１１から回収部１３までメダルを誘導する誘導部（図示しない）が設けられている。誘導部に関しては、詳細に後述する。
【００２８】
回収部１３は、遊技者により投入部１１から投入されたメダルが、図示しない誘導部を経由して供給され、この供給されたメダルを蓄積する。
【００２９】
回収部１３にメダルが蓄積されると、運営者は、光透過性パネル１０ａを開放することにより、回収部１３に蓄積されたメダルを取り出し、再度、光透過性パネル１０ａを閉じ、ロックする。
【００３０】
このように、メダル回収装置１には、前面（Ｙ１方向の面）に、光透過性パネル１０ａが設けられているので、遊技者は、光透過性パネル１０ａを介して、誘導部による演出を楽しむことができる。また、光透過性パネル１０ａはロック可能であるので、運営者は、回収部１３に蓄積されたメダルが遊技者により取り出されることなく、確実にメダルを取り出すことができる。
【００３１】
次に、本発明の実施例１であるメダル回収装置１が備える誘導部について詳細に説明する。
【００３２】
図２（ａ）は、本発明の実施例１であるメダル回収装置１が備える誘導部の正面図であり、図２（ｂ）は、本発明の実施例１であるメダル回収装置１が備える投入部１１を下方から見た図である。
【００３３】
図２（ａ）に示すように、本発明の実施例１であるメダル回収装置１が備える誘導部１２は、投入部１１と回収部１３との間の遊技媒体通過領域２０に設けられている。ここでは、３カ所からメダルを供給する投入部１１と、メダルが供給される３カ所に対応して設けられた３つの誘導部１２が設けられた例について説明する。
【００３４】
誘導部１２は、投入部１１から供給されたメダルを、遊技媒体通過領域２０の外部からメダルを視認可能に回収部１３まで誘導する。
【００３５】
具体的には、誘導部１２は、投入部１１から供給されるメダルを受けるメダル受け部１２ａと、メダル受け部１２ａにより受けたメダルが転がり、又は滑りながら、メダルを誘導する誘導経路部１２ｂと、誘導経路部１２ｂ上を転がり、又は滑り落ちたメダルを回収部１３へ排出する排出部１２ｃとを備える。
【００３６】
また、誘導経路部１２ｂは、湾曲した滑り台状に形成されており、メダルが誘導経路部１２ｂ上から転落し自由落下しないように進行方向の両側にガイド壁が設けられている。メダルは、ガイド壁に沿って転がり、又は滑りながら、メダルを排出部１２ｃまで誘導される。
【００３７】
また、投入部１１は、図２（ｂ）に示すように、投入されたメダルを、所定の間隔で１つづつ誘導部１２へ供給する構造を有している。
【００３８】
具体的には、投入部１１は、下部に、後述する円盤状の回転部１１ｄと、固定部１１ｇとを収納する円形に凹設された収納部１１ｂが設けられている。収納部１１ｂの中心部分には、回転部１１ｄの回転軸である回転軸１１ｐが設けられ、また、回転軸１１ｐの近傍であり、メダルより大きい径の第１孔部１１ａが貫通して設けられている。
【００３９】
回転部１１ｄは、回転軸１１ｐを中心に、図示しないモータなどの駆動部の駆動力により一定の回転速度で回転される。また、回転部１１ｄは、周辺部に、メダルより大きい径の６つの第２孔部１１ｅが設けられている。
【００４０】
固定部１１ｇは、円盤形状を有しており、外周が収納部１１ｂに内接されている。固定部１１ｇには、その周辺部であって、回転軸１１ｐに対して第１孔部１１ａと対向する位置に、メダルより大きい径の第３孔部１１ｈが設けられている。
【００４１】
これにより、投入部１１に投入されたメダルが、第１孔部１１ａに挿入され、挿入されたメダルが、回転部１１ｄが備える第２孔部１１ｅに、挿入される。ここで、回転部１１ｄは、回転軸１１ｐを中心に一定の回転速度で回転しているので、６つの第２孔部１１ｅに対して、一定の時間間隔で次々に第１孔部１１ａからメダルが挿入される。
【００４２】
そして、回転部１１ｄが回転することにより、第２孔部１１ｅに挿入されたメダルは、移動し、第１孔部１１ａと対向する位置に設けられた第３孔部１１ｈの上部まで移動されたとき、第３孔部１１ｈから落下する。これにより、誘導部１２のメダル受け部１２ａに、一定の間隔でメダルが供給される。
【００４３】
供給されたメダルは、上述したように、誘導部１２により、光透過性パネル１０ａを介して、遊技媒体通過領域２０の外部からメダルを視認可能に誘導され、排出部１２ｃから回収部１３へ排出される。
【００４４】
また、誘導部１２のメダル受け部１２ａの近傍には、投入部１１から供給されたメダルを検出する投入検出部２１が設けられている。具体的には、投入検出部２１は、透過型又は反射型の光学式センサであり、センサ光を照射する発光素子と、発光素子から照射されたセンサ光を受光する受光素子とを備えている。そして、投入検出部２１は、受光素子の受光状態により、メダルが投入部１１から誘導部１２へ供給されたことを検出することができる。
【００４５】
誘導部１２の誘導経路部１２ｂに沿って、誘導経路部１２ｂ上を誘導されて転がり、又は滑るメダルを検出する複数の誘導検出部２３が設けられている。具体的には、複数の誘導検出部２３は、投入検出部２１と同様に、それぞれ、透過型又は反射型の光学式センサであり、センサ光を照射する発光素子と、発光素子から照射されたセンサ光を受光する受光素子とを備えている。そして、誘導検出部２３は、受光素子の受光状態により、誘導経路部１２ｂ上を誘導されているメダルを検出することができる。
【００４６】
誘導部１２のメダルを排出部１２ｃの近傍には、回収部１３へ排出するメダルを検出する回収検出部２２が設けられている。具体的には、回収検出部２２は、投入検出部２１と同様に、透過型又は反射型の光学式センサであり、センサ光を照射する発光素子と、発光素子から照射されたセンサ光を受光する受光素子とを備えている。そして、回収検出部２２は、受光素子の受光状態により、メダルが誘導部１２から回収部１３へ排出されたことを検出することができる。
【００４７】
図３は、本発明の実施例１に係るメダル回収装置１の機能構成を示した機能構成図である。
【００４８】
図３に示すように、本発明の実施例１に係るメダル回収装置１は、制御部９０と、投入検出部２１と、誘導検出部２３と、回収検出部２２と、表示パネル１４と、スピーカ１５とを備える。これらの構成のうち、投入検出部２１と、誘導検出部２３と、回収検出部２２とは上述したので、説明を省略する。
【００４９】
制御部９０は、本発明の実施例１に係るメダル回収装置１の中枢的な制御を行う。また、制御部９０は、投入検出部２１と、誘導検出部２３と、回収検出部２２とのうちの少なくとも１つの検出部により、メダルが検出された場合に、検出されたことを、表示パネル１４に表示すると共に、スピーカ１５に音声出力する。
【００５０】
例えば、投入検出部２１により、メダルが投入部１１から誘導部１２へ供給されたことを検出された場合、制御部９０は、表示パネル１４に「投入ありがとうございます」と表示させる共に、スピーカ１５に音声出力させる。
【００５１】
また、表示パネル１４に、ステータスバーを表示しておき、複数の誘導検出部２３のうちいずれかにより、誘導経路部１２ｂ上を誘導されているメダルが検出される度に、制御部９０は、その検出された誘導検出部２３の誘導経路部１２ｂ上における位置に応じて、ステータスバーにより進行位置を表現したり、「第１チェックポイント通過」などの音声をスピーカ１５に出力させたりする。
【００５２】
さらに、回収検出部２２により、メダルが誘導部１２から回収部１３へ排出されたことが検出された場合、制御部９０は、表示パネル１４に「ご協力ありがとうございました。またのお越しをお待ちしております」と表示させる共に、スピーカ１５に音声出力させる。
【００５３】
以上のように、本発明の実施例１に係るメダル回収装置１によれば、メダルが投入される投入部１１と、メダルを回収する回収部１３と、投入部１１と回収部１３との間の遊技媒体通過領域２０に設けられ、投入部１１から供給されたメダルを、遊技媒体通過領域２０の外部から視認可能に回収部１３まで誘導する誘導部１２とを備えるので、遊技者は、メダルが湾曲した誘導経路部１２ｂを、転がり、又は滑りながら誘導される演出を外部から目視することができるので、メダルの返却に対して味気無く感じることがなくなる。これにより、遊技者は積極的にメダルをメダル回収装置１に投入したい衝動にかられるので、メダルの回収率が向上する。
【００５４】
また、本発明の実施例１に係るメダル回収装置１によれば、投入検出部２１と、誘導検出部２３と、回収検出部２２とのうちの少なくとも１つの検出部により、メダルが検出された場合に、検出されたことを、表示パネル１４に表示すると共に、スピーカ１５に音声出力するので、よりメダルの回収の楽しさを演出することができるので、さらにメダルの回収率を向上させることができる。
【００５５】
なお、本発明の実施例１では、投入検出部２１と、誘導検出部２３と、回収検出部２２とのうちの少なくとも１つの検出部により、メダルが検出される度に、検出されたことを、表示パネル１４に表示すると共に、スピーカ１５に音声出力するメダル回収装置１を例に挙げて説明したが、これに限らず、検出された回数を計数しておき、検出された回数が所定の回数に達した場合に、検出されたことを、表示パネル１４に表示すると共に、スピーカ１５に音声出力するようにしてもよい。
【００５６】
さらに、本発明の実施例１に係るメダル回収装置１によれば、投入部１１は、投入されたメダルを、所定の間隔で１つづつ誘導部１２へ供給するので、メダルが短時間に多量に誘導部１２に供給されることがなく、誘導部１２におけるメダルの閉塞などを防止することができる。
【００５７】
また、本発明の実施例１では、前面（Ｙ１方向の面）に、回動可能に光透過性パネル１０ａを備えているので、遊技者は、光透過性パネル１０ａを介して、メダルが誘導される演出を見ることができると共に、遊技者が回収部１３から、勝手にメダルを取り出すことができないように、メダルの管理を確実に行うことができる。
【００５８】
なお、本発明の実施例１では、遊技媒体としてメダルを回収するメダル回収装置１を例に挙げて説明したが、遊技媒体は、メダルに限らず、パチンコ玉などであってもよい。
【００５９】
また、本発明の実施例１では、透過型又は反射型の光学式センサである投入検出部２１、複数の誘導検出部２３、及び回収検出部２２を備えるメダル回収装置１を例に挙げて説明したが、これに限らず、投入検出部２１、複数の誘導検出部２３、及び回収検出部２２は、電気接触型などの他のセンサでもよい。
【実施例２】
【００６０】
本発明の実施例１では、前面に光透過性パネル１０ａを有する筐体１０を備え、湾曲した滑り台状に形成された誘導部１２を備えたメダル回収装置１を例に挙げて説明した。
【００６１】
本発明の実施例２では、４本の支柱３１を有する筐体３０を備え、湾曲した配管に形成された誘導部１２を備えたメダル回収装置２を例に挙げて説明する。
【００６２】
図４（ａ）は、本発明の実施例２であるメダル回収装置２の正面図であり、図４（ｂ）は、本発明の実施例２であるメダル回収装置２の平面図である。なお、本発明の実施例２であるメダル回収装置２が備える構成のうち、本発明の実施例１であるメダル回収装置１が備える構成と同一符号が付されたものについては、同一であるので説明を省略する。以下、他の実施例においても同様である。
【００６３】
図４（ａ），（ｂ）に示すように、本発明の実施例２であるメダル回収装置２は、４本の支柱３１を備えており、４本の支柱３１の上部には、投入部１１が固定されており、４本の支柱３１の下部には、回収部１３が固定されている。
【００６４】
そして、投入部１１と回収部１３との間の遊技媒体通過領域２０には、誘導部３２が設けられている。なお、ここでは、３カ所からメダルを供給する投入部１１と、メダルが供給される３カ所に対応して設けられた３つの誘導部３２が設けられた例について説明する。
【００６５】
誘導部３２は、投入部１１から供給されたメダルを、遊技媒体通過領域２０の外部、即ち、４本の支柱と投入部１１と回収部１３とで囲まれた空間である遊技媒体通過領域２０からメダルを視認可能に回収部１３まで誘導する。
【００６６】
具体的には、誘導部３２は、投入部１１から供給されるメダルを受けるメダル受け部３２ａと、メダル受け部３２ａにより受けたメダルが転がり、又は滑りながら、メダルを誘導する誘導経路部３２ｂと、誘導経路部３２ｂ内を転がり、又は滑り落ちたメダルを回収部１３へ排出する排出部３２ｃとを備える。ここで、誘導経路部３２ｂは、光透過性の部材を用いて、湾曲した中空の配管形状に形成されており、メダルは、中空の配管形状の内部を転がり、又は滑りながら排出部３２ｃまで誘導される。
【００６７】
回収部１３は、排出部３２ｃから排出され、蓄積するメダルが、遊技者により取り出されることがないように、上部に蓋部１３ａを備えている。また、この蓋部１３ａには、図示しないロック機構が設けられており、運営者が鍵を用いてロック機構のロックを外すことで、内部の蓄積されたメダルを取り出すことができる構造となっている。
【００６８】
このように、本発明の実施例２に係るメダル回収装置２によれば、光透過性の部材を用いて、湾曲した中空の配管形状に形成された誘導部３２と、蓋部１３ａが設けられた回収部１３とを備えているので、本発明の実施例１に係るメダル回収装置１の効果に加え、誘導部３２を前後左右に囲む光透過性パネルや壁面等を必要せず、製造コストを低減することができる。
【実施例３】
【００６９】
本発明の実施例１では、前面に光透過性パネル１０ａを有する筐体１０を備え、湾曲した滑り台状に形成された誘導部１２を備えたメダル回収装置１を例に挙げて説明した。
【００７０】
本発明の実施例３では、前面に光透過性パネル１０ａを有する筐体１０を備え、傾斜した盤面を有する誘導部１２を備えたメダル回収装置３を例に挙げて説明する。
【００７１】
図５（ａ）は、本発明の実施例３であるメダル回収装置３が備える誘導部の側面図であり、図５（ｂ）は、本発明の実施例３であるメダル回収装置３が備える誘導部の正面図である。
【００７２】
図５（ａ），（ｂ）に示すように、本発明の実施例３であるメダル回収装置３が備える誘導部４２は、投入部１１と回収部１３との間の遊技媒体通過領域２０に設けられている。ここでは、３カ所からメダルを供給する投入部１１と、３カ所から供給されるメダルを受ける１つの誘導部４２が設けられた例について説明する。
【００７３】
誘導部４２は、投入部１１から供給されたメダルを、遊技媒体通過領域２０の外部からメダルを視認可能に回収部１３まで誘導する。
【００７４】
具体的には、誘導部４２は、後方（Ｙ２方向）に傾斜した盤面４２ａを有している。投入部１１から供給されたメダルは、傾斜した盤面４２ａ上を転がり、又は滑ることにより、回収部１３まで誘導される。
【００７５】
また、誘導部４２の盤面４２ａ上には、ピン４２ｂや、ポケット４２ｃ等の障害物として突起物が設けられており、盤面４２ａ上を転がり、又は滑るメダルが、ピン４２ｂやポケット４２ｃ等に接触し、予測不可能な動きをする。これにより、より遊技者を楽しませるように演出することができ、遊技者は、メダルの返却に対して味気無く感じることがなくなる。そのため、遊技者は積極的にメダルをメダル回収装置１に投入したい衝動にかられるので、よりメダルの回収率が向上する。
【００７６】
なお、本発明の実施例３では、前面に光透過性パネル１０ａを有する筐体１０を備え、傾斜した盤面４２ａを有する誘導部１２を備えたメダル回収装置３を例に挙げて説明したが、盤面４２ａは必ずしも傾斜して設けられる必要はなく、垂直に設けられていても良い。即ち、投入部１１から供給されたメダルが、回収部１３まで誘導されるような角度で設けられていればよい。
【実施例４】
【００７７】
本発明の実施例１では、前面に光透過性パネル１０ａを有する筐体１０を備え、湾曲した滑り台状に形成された誘導部１２を備えたメダル回収装置１を例に挙げて説明した。
【００７８】
本発明の実施例４では、前面に光透過性パネル１０ａを有する筐体１０を備え、収納ボックスにより、メダルを回収部１３まで誘導する誘導部５２を備えたメダル回収装置４を例に挙げて説明する。
【００７９】
図６は、本発明の実施例４であるメダル回収装置４が備える誘導部の正面図である。
【００８０】
図６に示すように、本発明の実施例４であるメダル回収装置４が備える誘導部５２は、投入部１１と回収部１３との間の遊技媒体通過領域２０に設けられている。ここでは、３カ所からメダルを供給する投入部１１と、メダルが供給される３カ所に対応して設けられた３つの誘導部５２が設けられた例について説明する。
【００８１】
誘導部５２は、投入部１１から供給されたメダルを、遊技媒体通過領域２０の外部からメダルを視認可能に回収部１３まで誘導する。
【００８２】
具体的には、誘導部５２は、内部にメダルを収納して搬送する収納ボックス５２ａと、背面盤５２ｇに設けられ、収納ボックス５２ａを、投入部１１から供給されるメダルを受ける供給位置から、メダルを回収部１３へ排出する排出位置まで誘導するガイド穴５２ｃと、収納ボックス５２ａを回転させることによりメダルを回収部１３へ排出させる固定ピン５２ｄとを備える。
【００８３】
収納ボックス５２ａには、収納ボックス５２ａを支持する中心ピン５２ｆが、収納ボックス５２ａの背面側（Ｙ２方向）に設けられている。また、外部の手前側（Ｙ１方向）には、収納ボックス５２ａを反転させるための反転ピン５２ｂが設けられている。この反転ピン５２ｂと、固定ピン５２ｄとを反転機構という。
【００８４】
中心ピン５２ｆは、ガイド穴５２ｃに挿入され、図示しないバネ等の弾性力などによって、収納ボックス５２ａ内に投入されるメダルの重量に応じて、ガイド穴５２ｃを上下スライド移動する。
【００８５】
具体的には、まず、投入部１１から１枚づつメダルが収納ボックス５２ａに供給される。そして、収納ボックス５２ａ内に投入されたメダルの重量が重くなると、収納ボックス５２ａは、重力がバネの弾性力に打ち勝ち、ガイド穴５２ｃに沿って下降し、反転ピン５２ｂが、固定ピン５２ｄに接触する。さらに、収納ボックス５２ａが下降すると、接触した反転ピン５２ｂを中心に、収納ボックス５２ａが反転する。これにより、内部に蓄積されたメダルが、回収部１３へ排出される。
【００８６】
メダルが、回収部１３へ排出され、収納ボックス５２ａ内が空になると、図示しないバネの弾性力により、ガイド穴５２ｃに沿って最上位位置まで上昇する。
【００８７】
このように、本発明の実施例４であるメダル回収装置４によれば、収納ボックス５２ａ内に投入されるメダルの重量に応じて、収納ボックス５２ａがガイド穴５２ｃに沿って上下にスライド移動するので、より遊技者を楽しませるように演出することができ、遊技者は、メダルの返却に対して味気無く感じることがなくなる。これにより、遊技者は積極的にメダルをメダル回収装置１に投入したい衝動にかられるので、よりメダルの回収率が向上する。
【実施例５】
【００８８】
本発明の実施例４では、収納ボックス５２ａ内に投入されるメダルの重量に応じて、収納ボックス５２ａがガイド穴５２ｃに沿って上下にスライド移動することにより、メダルを回収するメダル回収装置４を例に挙げて説明した。
【００８９】
本発明の実施例５では、手回しによりハンドルを回転させることにより、投入部１１から供給され、ベルト上に配置されたメダルを回収するメダル回収装置を例に挙げて説明する。
【００９０】
図７は、本発明の実施例５であるメダル回収装置５が備える誘導部の正面図である。
【００９１】
図７に示すように、本発明の実施例５であるメダル回収装置５が備える誘導部６０は、投入部１１と回収部１３との間の遊技媒体通過領域２０に設けられている。ここでは、３カ所からメダルを供給する投入部１１と、１つの誘導部６０が設けられた例について説明する。
【００９２】
誘導部６０は、投入部１１から供給されたメダルＭを、遊技媒体通過領域２０の外部からメダルＭを視認可能に回収部１３まで誘導する。
【００９３】
具体的には、誘導部６０は、左右方向（Ｘ１Ｘ２方向）に配置された一対のローラ６１，６２と、一対のローラ６１，６２に巻きかけられた無端のベルト６３と、一対のローラ６１，６２のうち少なくとも一方のローラの回転軸に固定されたハンドル６４とを備えている。
【００９４】
ベルト６３は、投入部１１の下方に設けられており、投入部１１から供給されたメダルＭが上部に配置される。そして、遊技者によりハンドル６４が回転駆動されると、一対のローラ６１，６２が回転に伴い、ベルト６３が回転する。これにより、ベルト６３の上部に配置されたメダルＭは、回収部１３へ排出される。
【００９５】
このように、本発明の実施例５であるメダル回収装置５によれば、遊技者が手回しによりハンドル６４を回転させることにより、投入部１１から供給されてベルト６３上に配置されたメダルＭを回収するので、遊技者が自らハンドル６４を回す操作を行うことにより、メダルＭが回収されるという演出することができ、遊技者は、メダルＭの返却に対して味気無く感じることがなくなる。これにより、遊技者は積極的にメダルＭをメダル回収装置５に投入したい衝動にかられるので、よりメダルの回収率が向上する。
【実施例６】
【００９６】
本発明の実施例５では、手回しによりハンドル６４を回転させることにより、投入部１１から供給されて、左右方向に設けられたベルト６３上に配置されたメダルを回収するメダル回収装置５を例に挙げて説明した。
【００９７】
本発明の実施例６では、メダルが投入部から供給されて、ベルト上に取り付けられた収納ボックスに収納されて移動されることにより、メダルを回収するメダル回収装置を例に挙げて説明する。
【００９８】
図８は、本発明の実施例６であるメダル回収装置６が備える誘導部の側面図である。
【００９９】
図８に示すように、本発明の実施例６であるメダル回収装置６が備える誘導部７０は、投入部１１と回収部１３との間の遊技媒体通過領域２０に設けられている。本発明の実施例６では、３カ所からメダルを供給する投入部１１と、メダルが供給される３カ所に対応して設けられた３つの誘導部７０が設けられている。なお、図８においては、説明のため、１つの誘導部７０を例に挙げて説明する。
【０１００】
誘導部７０は、投入部１１から供給されたメダルを、遊技媒体通過領域２０の外部からメダルを視認可能に回収部１３まで誘導する。
【０１０１】
具体的には、誘導部７０は、上下方向（Ｚ１Ｚ２方向）に配置された一対のローラ７１，７２と、一対のローラ７１，７２に巻きかけられた無端のベルト７３とを備えており、一対のローラ７１，７２のうち少なくとも一方のローラ（ここではローラ７１）が駆動モータ７６で回転駆動される。具体的には、駆動モータ７６が回転駆動することにより、ローラ７１がＡ方向に回転する。これにより、Ｙ１側のベルト７３は、Ｂ方向（下方）に移動すると共に、Ｙ２側のベルト７３は、Ｃ方向（上方）に移動する。
【０１０２】
また、ベルト７３には、光透過性の部材を用いて立方体又は直方体の形状を有するように形成され、少なくとも一面に開口部７４ａが設けられた２つの収納ボックス７４が固定されている。具体的には、収納ボックス７４は、ベルト７３の移動に伴い、収納ボックス７４がＢ方向（下方）に搬送されているときに、開口部７４ａが上方に向くように、また、収納ボックス７４がＣ方向（上方）に搬送されているときに、開口部７４ａが下方に向くように、ベルト７３に固定されている。また、メダルが投入部１１から供給される位置（図８に示すＲの位置）を供給位置といい、メダルが回収部１３により回収される位置（図８に示すＳの位置）を回収位置といい、２つの収納ボックス７４のうち、一方の収納ボックス７４が、供給位置にある場合、他方の収納ボックス７４は、回収位置にある。
【０１０３】
制御部９１は、本発明の実施例１に係るメダル回収装置１が備える制御部９０と同様に、本発明の実施例６に係るメダル回収装置６の中枢的な制御を行う。また、制御部９１は、投入検出部２１により検出されたメダルの数を積算し、供給枚数として算出する。そして、制御部９１は、この積算した供給枚数が所定枚数に達した場合に、収納ボックス７４を、供給位置から回収位置まで搬送するようにベルト７３を制御する。ここで、所定枚数とは、例えば、収納ボックス７４内で一杯となる程十分な数のメダルが収納される枚数として、予め設定される。
【０１０４】
図９は、本発明の実施例６であるメダル回収装置６における処理手順を示したフローチャートである。ここでは、初期位置として、一方の収納ボックス７４が、供給位置にあり、他方の収納ボックス７４が、回収位置にあるとする。
【０１０５】
図９に示すように、まず、制御部９１は、投入検出部２１により検出されたメダルの数である供給枚数が所定枚数に達したか否かを判定する（ステップＳ１０１）。
【０１０６】
ステップＳ１０１において、供給枚数が所定枚数に達したと判定された場合（ＹＥＳの場合）、制御部９１は、駆動モータ７６を駆動させることにより、供給位置にある一方の収納ボックス７４を下方へ、回収位置にある一方の収納ボックス７４を上方へ搬送させる（ステップＳ１０３）。
【０１０７】
次に、制御部９１は、収納ボックス７４の搬送を開始してからの経過時間Ｔが、予め設定されている閾時間Ｔｔｈを超えたか否かを判定する（ステップＳ１０５）。ここで、閾時間Ｔｔｈは、収納ボックス７４が供給位置から回収位置へ搬送されるまでの時間であり、経過時間Ｔが閾時間Ｔｔｈを超えた場合、収納ボックス７４が供給位置から回収位置まで搬送されたと判定することができる。
【０１０８】
ステップＳ１０５において、経過時間Ｔが閾時間Ｔｔｈを超えたと判定された場合（ＹＥＳの場合）、制御部９１は、駆動モータ７６の駆動を停止させることにより、収納ボックス７４の搬送を停止する（ステップＳ１０７）。
【０１０９】
次に、制御部９１は、投入検出部２１により検出されたメダルの数を積算した値である供給枚数をリセットする（ステップＳ１０９）。
【０１１０】
このように、本発明の実施例６であるメダル回収装置６によれば、誘導部７０は、開口部７４ａが設けられ、投入部１１から開口部７４ａに供給されたメダルを内部に収納する収納ボックス７４と、上下に設けられた一対のローラ７１，７２に巻きかけられ、開口部７４ａを上方又は下方へ向けた状態で収納ボックス７４を搬送する無端のベルト７３と、投入検出部２１により検出されたメダルの数が所定枚数に達した場合に、収納ボックス７４を、開口部７４ａが上方へ向けられた状態でメダルが投入部１１から供給される供給位置から、開口部７４ａが下方へ向けられた状態でメダルが回収部１３により回収される回収位置まで搬送するようにベルト７３を制御する制御部９１とを備えるので、メダルを投入部１１に投入し、収納ボックス７４が所定の量に達すると、ベルト７３が回転してメダルが回収されるという演出することができ、遊技者は、メダルの返却に対して味気無く感じることがなくなる。これにより、遊技者は積極的にメダルをメダル回収装置６に投入したい衝動にかられるので、よりメダルの回収率が向上する。
【符号の説明】
【０１１１】
１，２，３，４，５，６…メダル回収装置
１０，３０…筐体
１０ａ…光透過性パネル
１０ｂ…筐体本体部
１１…投入部
１１ａ…第１孔部
１１ｂ…収納部
１１ｄ…回転部
１１ｅ…第２孔部
１１ｇ…固定部
１１ｈ…第３孔部
１１ｐ…回転軸
１２，３２，４２，５２，６０，７０…誘導部
１２ａ，３２ａ…メダル受け部
１２ｂ，３２ｂ…誘導経路部
１２ｃ，３２ｃ…排出部
１３…回収部
１３ａ…蓋部
１４…表示パネル（報知手段）
１５…スピーカ（報知手段）
２０…遊技媒体通過領域
２１…投入検出部
２２…回収検出部
２３…誘導検出部
４２ａ…盤面
４２ｂ…ピン
４２ｃ…ポケット
５２ａ…収納ボックス
５２ｂ…反転ピン
５２ｃ…ガイド穴
５２ｄ…固定ピン
５２ｆ…中心ピン
６１，６２…ローラ
６３…ベルト
６４…ハンドル
７１，７２…ローラ
７３…ベルト
７４…収納ボックス
７４ａ…開口部
９０，９１…制御部
【図１】
2014150821.tif 000003
【図２】
2014150821.tif 000004
【図３】
2014150821.tif 000005
【図４】
2014150821.tif 000006
【図５】
2014150821.tif 000007
【図６】
2014150821.tif 000008
【図７】
2014150821.tif 000009
【図８】
2014150821.tif 000010
【図９】
2014150821.tif 000011